(57)【要約】【課題】外壁の外面からの外片の突出寸法を小さくでき、笠木の中心を上枠材の中心にあわせて配置することができるパラペット用換気装置を提供すること。【解決手段】本発明のパラペット用換気装置は、建物の屋上やベランダの外壁として用いられるパラペット１０であり、笠木１５が天面部１５ａと、垂下部１５ｂとを有し、パラペット開放部３０と、換気部材２０とを備え、換気部材２０が、上片２１と、外片２２と、下片２３と、内片２４とを有し、上片２１、外片２２、下片２３、及び内片２４とで通気空間３２が形成され、外片２２には通気開口３３を形成し、内片２４と構造用合板１１又は柱との間にスペーサー部材４０を配置して通気路３１を形成し、通気胴縁１３を上昇した空気は、通気路３１及び通気空間３２を通過して通気開口３３から排出されることを特徴とする。【選択図】        図１
2016089577.tif 000002
【特許請求の範囲】
【請求項１】
構造用合板又は柱の上部に配置される上枠材と、
前記構造用合板又は前記柱の外面に配置される通気胴縁と、
前記通気胴縁の外面に配置される外壁と、
前記上枠材及び前記外壁の上方を覆う笠木と
を有して建物の屋上やベランダの外壁として用いられるパラペットであり、
前記笠木が
前記上枠材及び前記外壁の上部を覆う天面部と、
前記天面部から垂下して前記外壁の側方に配置される垂下部と
を有し、
少なくとも一方の前記外壁の上端に形成されるパラペット開放部と、
前記パラペット開放部に配置される換気部材と
を備えたパラペット用換気装置であって、
前記換気部材が、
前記上枠材と前記天面部との間に配置されて前記パラペット開放部の上方を覆う上片と、
前記垂下部の内方に配置されて前記パラペット開放部の側方を覆う外片と、
前記パラペット開放部が形成されている位置の前記外壁の前記上端の上方に配置される下片と、
前記パラペット開放部が形成されている前記位置の前記通気胴縁の上方に配置される内片と
を有し、
前記上片、前記外片、前記下片、及び前記内片とで通気空間が形成され、
前記外片には通気開口を形成し、
前記内片と前記構造用合板又は前記柱との間にスペーサー部材を配置して通気路を形成し、
前記通気胴縁を上昇した空気は、前記通気路及び前記通気空間を通過して前記通気開口から排出されることを特徴とするパラペット用換気装置。
【請求項２】
前記下片の一部を前記通気胴縁の上方に延出させ、
前記通気路の奥行き寸法を前記通気胴縁の奥行き寸法よりも狭くしたことを特徴とする請求項１に記載のパラペット用換気装置。
【請求項３】
前記外片を前記外壁の外面より外方に突出させないことを特徴とする請求項１又は請求項２に記載のパラペット用換気装置。
【請求項４】
前記外片と前記内片との間に遮蔽板をぶら下げ、
前記通気路を上昇した空気は、前記内片と前記遮蔽板との間、及び前記遮蔽板の下端と前記下片との間を通過して前記通気開口から排出され、
前記通気開口から外気が導入されると前記遮蔽板が前記内片に当接することで、前記外気が前記通気路に導入されることを阻止し、
前記通気開口と前記遮蔽板との間には、前記通気開口から導入される前記空気の流れを変更させる部材を設けず、
前記外片から前記遮蔽板までの奥行き寸法を、前記遮蔽板から前記内片までの奥行き寸法の５０％以下としたことを特徴とする請求項１から請求項３のいずれかに記載のパラペット用換気装置。
【発明の詳細な説明】
【技術分野】
【０００１】
本発明は、建物の屋上やベランダの外壁として用いられるパラペットに設置するパラペット用換気装置に関する。
【背景技術】
【０００２】
本出願人は、パラペット部内の屋内空気をスムーズに排出し換気できるパラペット換気装置を既に提案している（特許文献１）。
特許文献１に記載のパラペット換気装置を図５に示す。
図５は同パラペット用換気装置の要部断面図である。
パラペット１１０は、構造用合板１１１の上部に配置される上枠材１１２と、構造用合板１１１の外面に配置される通気胴縁１１３と、通気胴縁１１３の外面に配置される外壁１１４と、上枠材１１２及び外壁１１４の上方を覆う笠木１１５とを有している。
笠木１１５は、上枠材１１２及び外壁１１４の上部を覆う天面部１１５ａと、天面部１１５ａから垂下して外壁１１４の側方に配置される垂下部１１５ｂとを有している。
換気部材１２０は、外壁１１４の上端に形成されるパラペット開放部１３０に配置される。
換気部材１２０の外片１２２には通気開口１３３が形成され、換気部材１２０の内片１２４の上部は通気胴縁１１３に連通し、換気部材１２０の内部には通気空間１３２が形成されている。
従って、通気胴縁１１３から上昇する空気は、内片１２４の上部から換気部材１２０の内部の通気空間１３２を通過し、通気開口１３３から排出される。
なお、通気開口１３３は、上下から支持部材に立脚支持された開口部遮断壁が出窓状に張り出して形成されている（段落番号００２３）。
また、外気導入を阻止する遮蔽板１２６は、外片１２２と内片１２４とで形成される通気空間１３２の中央付近に配置している（段落番号００３０）。
【先行技術文献】
【特許文献】
【０００３】
【特許文献１】特開２０１２−１０２４８６号公報
【発明の概要】
【発明が解決しようとする課題】
【０００４】
しかし、図６に示すパラペット換気装置は、換気部材１２０が外壁１１４より外方に突出している。このため、笠木１１５の垂下部１１５ｂと換気部材１２０の通気開口１３３との間に通気のためのスペースを設ける必要があり、笠木１１５の中心位置を上枠材１１２の中心位置からずらして配置する必要があった。
また、笠木１１５のサイズを大きなものに取り替える必要が生じる場合もあった。
【０００５】
そこで、本発明は、外壁の外面からの外片の突出寸法を小さくでき、笠木の中心を上枠材の中心にあわせて配置することができるパラペット用換気装置を提供することを目的とする。
【課題を解決するための手段】
【０００６】
請求項１記載の本発明のパラペット用換気装置は、構造用合板又は柱の上部に配置される上枠材と、前記構造用合板又は前記柱の外面に配置される通気胴縁と、前記通気胴縁の外面に配置される外壁と、前記上枠材及び前記外壁の上方を覆う笠木とを有して建物の屋上やベランダの外壁として用いられるパラペットであり、前記笠木が前記上枠材及び前記外壁の上部を覆う天面部と、前記天面部から垂下して前記外壁の側方に配置される垂下部とを有し、少なくとも一方の前記外壁の上端に形成されるパラペット開放部と、前記パラペット開放部に配置される換気部材とを備えたパラペット用換気装置であって、前記換気部材が、前記上枠材と前記天面部との間に配置されて前記パラペット開放部の上方を覆う上片と、前記垂下部の内方に配置されて前記パラペット開放部の側方を覆う外片と、前記パラペット開放部が形成されている位置の前記外壁の前記上端の上方に配置される下片と、前記パラペット開放部が形成されている前記位置の前記通気胴縁の上方に配置される内片とを有し、前記上片、前記外片、前記下片、及び前記内片とで通気空間が形成され、前記外片には通気開口を形成し、前記内片と前記構造用合板又は前記柱との間にスペーサー部材を配置して通気路を形成し、前記通気胴縁を上昇した空気は、前記通気路及び前記通気空間を通過して前記通気開口から排出されることを特徴とする。
請求項２記載の本発明は、請求項１に記載のパラペット用換気装置において、前記下片の一部を前記通気胴縁の上方に延出させ、前記通気路の奥行き寸法を前記通気胴縁の奥行き寸法よりも狭くしたことを特徴とする。
請求項３記載の本発明は、請求項１又は請求項２に記載のパラペット用換気装置において、前記外片を前記外壁の外面より外方に突出させないことを特徴とする。
請求項４記載の本発明は、請求項１から請求項３のいずれかに記載のパラペット用換気装置において、前記外片と前記内片との間に遮蔽板をぶら下げ、前記通気路を上昇した空気は、前記内片と前記遮蔽板との間、及び前記遮蔽板の下端と前記下片との間を通過して前記通気開口から排出され、前記通気開口から外気が導入されると前記遮蔽板が前記内片に当接することで、前記外気が前記通気路に導入されることを阻止し、前記通気開口と前記遮蔽板との間には、前記通気開口から導入される前記空気の流れを変更させる部材を設けず、前記外片から前記遮蔽板までの奥行き寸法を、前記遮蔽板から前記内片までの奥行き寸法の５０％以下としたことを特徴とする。
【発明の効果】
【０００７】
本発明のパラペット用換気装置によれば、スペーサー部材によって通気路の奥行き寸法を維持できるため、内片を構造用合板又は柱に近づけることができる。そして、内片を構造用合板又は柱に近づけた寸法だけ外片を構造用合板又は柱に近づけることができ、その結果外壁の外面からの外片の突出寸法を小さくできる。従って、外片と笠木の垂下部との距離を確保できるため、笠木の中心を上枠材の中心にあわせて配置することができる。
【図面の簡単な説明】
【０００８】
【図１】本発明の一実施例によるパラペット用換気装置の要部断面図
【図２】本実施例によるパラペット用換気装置を示す側面図
【図３】本実施例によるパラペット用換気装置を示す図
【図４】本実施例によるパラペット用換気装置における空気の流れを説明する図
【図５】本発明の他の実施例によるパラペット用換気装置の要部断面図
【図６】従来のパラペット用換気装置の要部断面図
【発明を実施するための形態】
【０００９】
本発明の第１の実施の形態によるパラペット用換気装置は、内片と構造用合板又は柱との間にスペーサー部材を配置して通気路を形成したものである。本実施の形態によれば、スペーサー部材によって通気路の奥行き寸法を維持できるため、内片を構造用合板又は柱に近づけることができ、内片を構造用合板又は柱に近づけた寸法だけ外片を構造用合板又は柱に近づけることができ、その結果外壁の外面からの外片の突出寸法を小さくできる。従って、外片と笠木の垂下部との距離を確保できるため、笠木の中心を上枠材の中心にあわせて配置することができる。
【００１０】
本発明の第２の実施の形態は、第１の実施の形態によるパラペット用換気装置において、下片の一部を通気胴縁の上方に延出させ、通気路の奥行き寸法を通気胴縁の奥行き寸法よりも狭くしたものである。本実施の形態によれば、スペーサー部材を用いて通気路の奥行き寸法を維持できるため、下片の一部を通気胴縁の上方に延出させることができる。
【００１１】
本発明の第３の実施の形態は、第１又は第２の実施の形態によるパラペット用換気装置において、外片を外壁の外面より外方に突出させないものである。本実施の形態によれば、外片と笠木の垂下部との距離を確保できるため、笠木の中心を上枠材の中心にあわせて配置することができる。
【００１２】
本発明の第４の実施の形態は、第１から第３のいずれかの実施の形態によるパラペット用換気装置において、通気開口と遮蔽板との間には、通気開口から導入される空気の流れを変更させる部材を設けず、外片から遮蔽板までの奥行き寸法を、遮蔽板から内片までの奥行き寸法の５０％以下としたものである。本実施の形態によれば、通気開口から導入される外気によって遮蔽板を変位しやすくすることで、外片と内片との距離を近づけることができ、外片を構造用合板又は柱に近づけることができ、その結果外壁の外面からの外片の突出寸法を小さくできる。
【実施例】
【００１３】
以下本発明の一実施例によるパラペット用換気装置について説明する。
図１は本実施例によるパラペット用換気装置の要部断面図である。
本実施例によるパラペット用換気装置は、建物の屋上やベランダの外壁として用いられるパラペット１０に設置される。
パラペット１０は、構造用合板１１の上部に配置される上枠材１２と、構造用合板１１の外面に配置される通気胴縁１３と、通気胴縁１３の外面に配置される外壁１４と、上枠材１２及び外壁１４の上方を覆う笠木１５とを有している。
笠木１５は、上枠材１２及び外壁１４の上部を覆う天面部１５ａと、天面部１５ａから垂下して外壁１４の側方に配置される垂下部１５ｂとを有している。
換気部材２０は、少なくとも一方の外壁１４の上端に形成されるパラペット開放部３０に配置される。換気部材２０と構造用合板１１との間にはスペーサー部材４０を配置して通気路３１を形成している。
換気部材２０と外壁１４との間には、シーリング材１６を設けている。
垂下部１５ｂの下端は、換気部材２０の下端と同じ高さか、換気部材２０の下端よりも下方に位置する。
【００１４】
図２は本実施例によるパラペット用換気装置を示す側面図であり、図２（ａ）は換気部材本体を示す側面図、図２（ｂ）はスペーサー部材を示す側面図、図２（ｃ）は遮蔽板を示す側面図、図２（ｄ）は遮蔽板取り付け材を示す側面図、図２（ｅ）は遮蔽部材を示す側面図である。
【００１５】
図２（ａ）に示すように、換気部材２０本体は、上片２１、外片２２、下片２３、及び内片２４とで通気空間３２を形成している。
図１に示すように、上片２１は、上枠材１２と天面部１５ａとの間に配置されてパラペット開放部３０の上方を覆う。外片２２は、垂下部１５ｂの内方に配置されてパラペット開放部３０の側方を覆う。下片２３は、パラペット開放部３０が形成されている位置の外壁１４の上端の上方に配置される。内片２４は、パラペット開放部３０が形成されている位置の通気胴縁１３の上方に配置される。
上片２１、外片２２、下片２３、及び内片２４は、１枚の板を折り曲げて形成される。
上片２１と外片２２との間には、段差部２５を形成している。外片２２には、多数の通気開口３３を形成している。通気開口３３の下端は、外片２２の下端位置としている。
下片２３は、外片２２側が下方となるように傾斜している。内片２４の上端には、外片２２に向けた折り曲げ片２４ａを形成している。内片２４の上端は、通気開口３３の上端より高い位置としている。
【００１６】
図２（ｂ）に示すように、スペーサー部材４０は、内片２４に当接する内片側当接片４１と、構造用合板１１に当接する合板側当接片４２と、内片側当接片４１と合板側当接片４２とを接続する接続片４３とからなり、内片側当接片４１と合板側当接片４２と接続片４３とで側面視でコの字形状としている。
【００１７】
図２（ｃ）に示す遮蔽板２６と、図２（ｄ）に示す遮蔽板取り付け材２７とから、図２（ｅ）に示す遮蔽部材が構成される。遮蔽板２６及び遮蔽板取り付け材２７は、それぞれ１枚の板材から形成され、上片２１、外片２２、下片２３、及び内片２４とで構成される換気部材２０本体と同程度の幅寸法である。
【００１８】
図２（ｅ）に示すように、遮蔽板２６と遮蔽板取り付け材２７との間に２ミリメートル以上の隙間を開け、テープ２８を用いて接着固定する。テープ２８は、長手方向（幅方向）と直行する方向にガラス繊維が配置された、耐折り曲げ性にすぐれた素材に粘着材が塗布されたものである。また、遮蔽板２６には弾性材２９を設けている。
【００１９】
図３は本実施例によるパラペット用換気装置を示す図であり、図３（ａ）は同パラペット用換気装置を示す側面図、図３（ｂ）は同パラペット用換気装置を示す要部正面図、図３（ｃ）は同パラペット用換気装置を示す底面図である。
【００２０】
図３（ａ）に示すように、通気開口３３と遮蔽板２６との間には、通気開口３３から導入される空気の流れを変更させる部材を設けていない。また、外片２２から遮蔽板２６までの奥行き寸法Ｌ１を、遮蔽板２６から内片２４までの奥行き寸法Ｌ２の５０％以下としている。
【００２１】
また、図３（ｂ）に示すように、通気開口３３の高さ寸法Ｈ１は、外片２２の高さ寸法Ｈ２の５０％以上、好ましくは６４％以上とし、通気開口３３の幅寸法Ｗ１は、隣り合う通気開口３３の間の閉塞幅寸法Ｗ２の１２０％以上、好ましくは１６０％以上としている。
本実施例によれば、通気開口３３から導入される外気によって遮蔽板２６を変位しやすくすることで、外片２２と内片２４との距離を近づけることができ、外片２２を構造用合板１１に近づけることができ、その結果外壁１４の外面からの外片２２の突出寸法を小さくできる。
【００２２】
図３（ｃ）に示すように、複数のスペーサー部材４０を所定間隔で内片２４に設けている。なお、図３（ｃ）では、４つのスペーサー部材４０を設けた場合を示しているが、少なくとも２つのスペーサー部材４０を設けていればよい。
【００２３】
次に、図４を用いて空気の流れを説明する。図４（ａ）は換気流れを示すパラペット用換気装置の要部断面図、図４（ｂ）は雨水浸入の遮断を示すパラペット用換気装置の要部断面図である。
【００２４】
なお、図４（ａ）に示すように、下片２３の一部を通気胴縁１３の上方に延出させ、通気路３１の奥行き寸法Ｌ３を通気胴縁１３の奥行き寸法Ｌ４よりも狭くしている。
本実施例によれば、スペーサー部材４０を用いて通気路３１の奥行き寸法Ｌ３を一定に維持できるため、下片２３の一部を通気胴縁１３の上方に延出させることができる。
また、外片２２を外壁１４の外面より外方に突出させない。
本実施例によれば、外片２２と笠木１５の垂下部１５ｂとの距離を確保できるため、笠木１５の中心を上枠材１２の中心にあわせて配置することができる。
図４（ａ）に示すように、通気胴縁１３を上昇した空気は、通気路３１及び通気空間３２を通過して通気開口３３から排出される。
【００２５】
図４（ｂ）に示すように、所定の風速以上の条件で通気開口３３から空気が流入すると、遮蔽板２６は変位し、遮蔽板２６に設けた弾性材２９が内片２４に当接し、遮蔽板２６によって通気空間３２は遮断される。従って、外気の流入によって雨水が浸入することを防止することができる。
【００２６】
以上のように、本実施例によれば、スペーサー部材４０によって通気路３１の奥行き寸法Ｌ３を一定に維持できるため、内片２４を構造用合板１１に近づけることができ、内片２４を構造用合板１１に近づけた寸法だけ外片２２を構造用合板１１に近づけることができ、その結果外壁１４の外面からの外片２２の突出寸法を小さくできる。従って、外片２２と笠木１５の垂下部１５ｂとの距離を確保できるため、笠木１５の中心を上枠材１２の中心にあわせて配置することができる。
【００２７】
図５は本発明の他の実施例によるパラペット用換気装置の要部断面図である。
上記実施例では、構造用合板１１を用いたパラペット用換気装置を示したが、本実施例によるパラペット用換気装置は、構造用合板１１を用いないものである。
本実施例では、上枠材１２は柱１７の上部に配置され、通気胴縁１３は柱１７の外面に配置される。ここで柱１７には、両側に配置される支柱と、支柱の間に配置される間柱がある。その他の構造は上記実施例と同一であるので同一符号を付して説明を省略する。
本実施例によれば、スペーサー部材４０によって通気路３１の奥行き寸法Ｌ３を一定に維持できるため、内片２４を柱１７に近づけることができ、内片２４を柱１７に近づけた寸法だけ外片２２を柱１７に近づけることができ、その結果外壁１４の外面からの外片２２の突出寸法を小さくできる。従って、外片２２と笠木１５の垂下部１５ｂとの距離を確保できるため、笠木１５の中心を上枠材１２の中心にあわせて配置することができる。
【産業上の利用可能性】
【００２８】
本発明は、建物の屋上やベランダの外壁として用いられるパラペットに用いるものである。
【符号の説明】
【００２９】
１０  パラペット
１１  構造用合板
１３  通気胴縁
１４  外壁
１５  笠木
１５ａ  天面部
１５ｂ  垂下部
１７  柱
２０  換気部材
２１  上片
２２  外片
２３  下片
２４  内片
２６  遮蔽板
２８  テープ
２９  弾性材
３０  パラペット開放部
３１  通気路
３２  通気空間
３３  通気開口
４０  スペーサー部材
【図１】
2016089577.tif 000003
【図２】
2016089577.tif 000004
【図３】
2016089577.tif 000005
【図４】
2016089577.tif 000006
【図５】
2016089577.tif 000007
【図６】
2016089577.tif 000008